(57)【要約】【課題】  固定側体に対する可動側体の位置ズレを簡単な操作で修正し得るようにする。【解決手段】  先端部が可動側体Ｐ２に連設のブラケットＥ２に連繋されながら中間部１ｃが固定側体Ｐ１に連設のブラケットＥ１に枢着される梃体１を有すると共に、この梃体１の基端部１ａに一端部が連繋されながら他端が上記の固定側体Ｐ１に係止される伸縮手段２を有してなり、この伸縮手段２の作動で梃体１を梃運動させて固定側体Ｐ１に対して遠近する基端部１ａの移動方向と反対の方向に先端部１ｂを移動させる。【選択図】        図１
2005307538.tif 000002
【特許請求の範囲】
【請求項１】
先端部が可動側体に連設のブラケットに連繋されながら中間部が固定側体に連設のブラケットに枢着される梃体を有すると共に、この梃体の基端部に一端部が連繋されながら他端が上記の固定側体に係止される伸縮手段を有してなり、この伸縮手段の作動で梃体を梃運動させて固定側体に対して遠近する基端部の移動方向と反対の方向に先端部を移動させてなることを特徴とする位置ズレ修正装置
【請求項２】
梃体がスペーサの介在下に一体化された二枚板構造に形成されてなり、可動側体に連設のブラケットを先端部に挟持する状態に介在させると共に、伸縮手段の一端部を基端部に挟持する状態に介在させ、かつ、固定側体に連設のブラケットを中間部に挟持する状態に介在させてなる請求項１に記載の位置ズレ修正装置
【請求項３】
梃体の基端部に伸縮手段が枢着されてなる請求項１に記載の位置ズレ修正装置
【請求項４】
伸縮手段が油圧利用のジャッキ、あるいは、ネジ構造のジャッキからなる請求項１に記載の位置ズレ修正装置
【発明の詳細な説明】
【技術分野】
【０００１】
この発明は、たとえば、鉄骨製の柱体を建込む際に上下の柱体における水平方向の位置ズレを修正する位置ズレ修正装置の改良に関する。
【背景技術】
【０００２】
一般に、構築物を構成する柱体は、その立設の際に、すなわち、建て方の際に垂直状態にされると共に、上下となる柱体の間における水平方向の位置ズレも修正されるとしている。
【０００３】
このとき、柱体が重量の嵩む鉄骨製とされる場合には、いわゆる人力では位置ズレを修正し得ないことから、たとえば、特許文献１には、この位置ズレの修正を可能にする位置ズレ修正装置が提案されている。
【０００４】
すなわち、特許文献１に開示の提案にあっては、本体たる板体を上方の柱体に連設のブラケットたるエレクションピースに上端を引掛ける状態に連繋させる一方で、本体の下端部に開穿されている孔を挿通する長いボルト状の連結棒が下方の柱体に連設のブラケットたるエレクションピースに開穿された孔を挿通した状態に連繋するとしている。
【０００５】
そして、連結棒は、油圧ジャッキに連繋され、この油圧ジャッキが伸長作動することで、本体の下端部が下方の柱体に連設のエレクションピースに近づくように移動して上下のエレクションピース間における、すなわち、上下の柱体間における水平方向の位置ズレが修正されるとしている。
【特許文献１】特開２００３−８２８６０号公報（特許請求の範囲  請求項１，請求項３，請求項４，請求項５，図１，図５）
【発明の開示】
【発明が解決しようとする課題】
【０００６】
しかしながら、上記した特許文献１に開示の提案にあっては、作動上で特別に不具合がある訳ではないが、作業性などが悪化され易くなると指摘される可能性がある。
【０００７】
すなわち、まず、上記の提案にあっては、長いボルト状の連結棒が下方の柱体に連設のエレクションピースに開穿の孔を挿通することを必須とされ、しかも、このとき、連結棒は、油圧ジャッキを連繋した状態にある。
【０００８】
その結果、上記の提案にあっては、ボルトあるいはナットの回動操作は、いわゆる一度で足りることになるとしても、いわゆる前作業として、ジャッキを連繋した状態の長いボルト状の連結棒を下方の柱体に連設のエレクションピースに開穿されている孔に挿通する作業が必須になり、極めて作業性が悪くなる危惧がある。
【０００９】
のみならず、上記した提案にあっては、連結棒が柱体に垂直となる方向から連繋されるとしているから、油圧ジャッキが柱体の表面に大きく突出する態様を呈することになり、したがって、作業空間において、いわゆる邪魔になる不具合がある。
【００１０】
この発明は、上記した事情を鑑みて創案されたものであって、その目的とするところは、固定側体に対する可動側体の位置ズレを簡単な操作で修正し得て、その汎用性の向上を期待するのに最適となる位置ズレ修正装置を提供することである。
【課題を解決するための手段】
【００１１】
上記した目的を達成するために、この発明による位置ズレ修正装置の構成を、先端部が可動側体に連設のブラケットに連繋されながら中間部が固定側体に連設のブラケットに枢着される梃体を有すると共に、この梃体の基端部に一端部が連繋されながら他端が上記の固定側体に係止される伸縮手段を有してなり、この伸縮手段の作動で梃体を梃運動させて固定側体に対して遠近する基端部の移動方向と反対の方向に先端部を移動させてなるとする。
【発明の効果】
【００１２】
それゆえ、請求項１の発明によれば、梃体の先端部および中間部をそれぞれの相応するブラケットに連繋させた状態で伸縮手段を作動させることで、梃体を梃運動させることが可能になり、梃体の先端部を梃体の基端部の移動方向と反対の方向に移動させ、可動側体を移動させることが可能になる。
【００１３】
その結果、この発明によれば、たとえば、鉄骨製の柱体における建て方の際に、上方柱体の下方柱体に対する水平方向に位置ズレを簡単な操作で修正し得ると共に、このとき、梃体は、上下方向に延在される柱体に沿うように配在されるから、柱体の側方に大きく突出する危惧がなく、作業空間でいわゆる邪魔にならないことになる。
【発明を実施するための最良の形態】
【００１４】
以下に、図示した実施形態に基づいて、この発明を説明するが、図示するところでは、この発明による位置ズレ修正装置が上下となる柱体における水平方向の位置ズレを修正するものとして具現化されている。
【００１５】
すなわち、この位置ズレ修正装置は、固定側体たる下方柱体Ｐ１の上端部とこの下方柱体Ｐ１に上方から継がれる可動側体たる上方柱体Ｐ２の下端部とに連繋されて上方柱体Ｐ２の下方柱体Ｐ１に対する水平方向の位置ズレを修正するとしている。
【００１６】
ちなみに、下方柱体Ｐ１および上方柱体Ｐ２は、多くの場合に、型鋼からなり、上下方向に延びる軸線を横切る方向の断面形状が、図示しないが、Ｈ形やＬ形、あるいは、Ｃ形や矩形を呈するとしている。
【００１７】
そして、下方柱体Ｐ１の上端部および上方柱体Ｐ２の下端部における対向する二方あるいはいわゆる四方にはそれぞれ一枚の板状体からなるブラケットたるエレクションピースＥ１，Ｅ２が溶接などで一体に連設されている。
それゆえ、この位置ズレ修正装置は、具体的には、上記の上下のエレクションピースＥ１，Ｅ２に連繋されることで、下方柱体Ｐ１の上端部と上方柱体Ｐ２の下端部とに連繋されるとしている。
【００１８】
ちなみに、このエレクションピースＥ１，Ｅ２は、各柱体Ｐ１，Ｐ２における外側面などのいわゆる平坦面に対して垂直になるように、また、このとき、軸線方向が各柱体Ｐ１，Ｐ２における軸線方向に沿う状態に配在される。
【００１９】
なお、このエレクションピースＥ１，Ｅ２は、図示しないが、建入れ調整装置を利用するときにも利用され、また、このエレクションピースＥ１，Ｅ２は、爾後に溶接などで下方柱体Ｐ１と上方柱体Ｐ２との一体性を保障する工法の場合には撤去されることもある。
【００２０】
ところで、この位置ズレ修正装置は、梃体１を有すると共に伸縮手段２を有するとしており、この伸縮手段２の作動で梃体１を梃運動させてエレクションピースＥ１に対して遠近する梃体１の基端部１ａの移動方向と反対の方向に梃体１の先端部１ｂを移動させるとしている。
【００２１】
すなわち、図中に符号ａで示す方向に伸縮手段２を伸長させることで、梃体１を図中に符号ｂで示す方向に回転させるようにして梃運動させ、梃体１の先端部１ｂが連繋するエレクションピースＥ２を図中に符号ｃで示す方向に移動させるとしている。
【００２２】
少し説明すると、先ず、梃体１は、図示するところでは、上下方向に細長くなるほぼ菱形からなる同じ形状に形成された二枚の板体１１からなる二枚板構造に形成されていて、スペーサ１２の介在下に一体化されると共に、二枚の板体１１の間に隙間を出現させるとしている。
【００２３】
そして、この隙間に、すなわち、上記の基端部１ａにおける隙間に伸縮手段２の一端部２ａを、また、先端部１ｂにおける隙間にエレクションピースＥ２を、そして、中間部１ｃにおける隙間にエレクションピースＥ１をそれぞれ挟持する状態に介在させるとしている。
【００２４】
このとき、梃体１の中間部１ｃは、ピン１３の介在下にエレクションピースＥ１に枢着されるとしており、それゆえ、この梃体１は、この中間部１ｃのピン１３を支点にして梃運動し得ることになる。
【００２５】
そして、梃体１における先端部１ｂおよび基端部１ａには、それぞれ長孔１１ａが開穿されていて、先端部１ｂの長孔１１ａにエレクションピースＥ２に挿通されるピン１４が、また、基端部１ａの長孔１１ａに伸縮手段の一端部２ａに挿通されるピン１５がそれぞれ挿通されて、それぞれの部位で連繋状態が実現されるとしている。
【００２６】
それゆえ、上記した梃体１にあっては、前記したところでもあるが、伸縮手段２を伸長させることで、梃体１を梃運動させ、先端部１ｂを基端部１ａの移動方向と反対の方向に移動させることが可能になる。
【００２７】
そして、このとき、梃体１は、上下方向に延在される各柱体Ｐ１，Ｐ２に沿うように配在されるから、この各柱体Ｐ１，Ｐ２の側方に大きく突出する危惧がなく、したがって、前記した特許文献１に開示の提案に比較して、作業空間でいわゆる邪魔にならないことになる。
【００２８】
このことからすれば、この位置ズレ修正装置にあっては、図示しないが、上記の梃体１をいわゆる天地を逆にしてエレクションピースＥ１，Ｅ２に連繋することも可能になり、この場合には、後述する伸縮手段２がいわゆる上方に配在されるので、操作性が良くなる点で有利になるとも言い得る。
【００２９】
また、図示しないが、この位置ズレ修正装置が、たとえば、水平方向に延在される梁材間における上下方向の位置ズレを修正する場合に利用されるとしても、前記した特許文献１に開示の提案に比較して、いわゆる天井側と床側との間で縦方向に部材が長く突出することがなく、同じく作業空間で邪魔にならないことになる。
【００３０】
つぎに、伸縮体２は、上記した梃体１の基端部１ａに一端部２ａが連繋されながら他端２ｂが下方柱体Ｐ１に係止されるとするもので、図示するところでは、油圧利用のジャッキからなり、このジャッキは、油圧Ｐの給排でシリンダ体２１に対してロッド体２２が出没する構成とされている。
【００３１】
そして、油圧Ｐは、図示しないが、外部に配在されてこのジャッキに接続されるハンドポンプなどを有する油圧給排源から供給されるとし、この油圧Ｐの供給時に伸長作動するとしている。
【００３２】
以上からすれば、この伸縮手段２は、上記の油圧利用のジャッキからなるのに代えて、図示しないが、ネジ構造のジャッキからなり、しかも、作業者によるハンドル操作で伸縮されるとしても良い。
【００３３】
ちなみに、伸縮手段２が作業者によるハンドル操作で伸縮するネジ構造のジャッキからなる場合には、この伸縮手段２が油圧利用のジャッキからなる場合に比較して、この位置ズレ修正装置におけるいたずらな嵩張りを回避できると共にこの位置ズレ修正装置を搬送する際の搬送性を向上させ易くなる点で有利となる。
【００３４】
のみならず、この位置ズレ修正装置で実際に位置ズレを修正するについては、５ｍ／ｍ，１０ｍ／ｍと大きいストロークを移動させることはなく、約３ｍ／ｍ以下と小さいストロークの移動でこと足りる。
【００３５】
このことからすれば、この位置ズレ修正装置における伸縮手段２が油圧利用のジャッキでなく、ネジ構造のジャッキとされ、しかも、作業者による伸縮作業でこと足りるとしても、この位置ズレ修正装置について充分な利用価値があることになる。
【００３６】
もっとも、この伸縮手段２が油圧利用のジャッキからなる場合でも、油圧作用時には伸長作動するのみで、爾後の、たとえば、不使用時の収納に際しては、油圧を利用することなく、人力で収縮できるように設定することで、この伸縮手段２におけるコストのいたずらな上昇を回避できることになる。
【００３７】
ところで、伸縮手段２についてだが、図示するところでは、他端２ｂが下方柱体Ｐ１に当接されるだけの態様とされているが、この伸縮手段２が伸縮作動するという機能を勘案すると、他端２ｂが下方柱体Ｐ１に固定的に連繋される、すなわち、分離されない態様に連繋されるとしても良いこともちろんである。
【００３８】
そして、伸縮手段２における他端２ｂが下方柱体Ｐ１に分離されない態様に連繋される場合には、この伸縮手段２の収縮作動で前記したところと逆の作動、すなわち、梃体１の基端部１ａを下方柱体Ｐ１に近づけるようにして、梃体１の先端部１ｂを上方柱体Ｐ２から離すようにする位置ズレ修正をも可能にすることになる。
【００３９】
ちなみに、以上のように形成されたこの発明による位置ズレ修正装置は、下方柱体Ｐ１の上端部と上方柱体Ｐ２の下端部とからなる連結部において、たとえば、二台をいわゆる同一方向にセットして、必要な方向への位置ズレ修正を一方の装置で実行し、その調整操作がいわゆる過度となったときに、反対側の他方の装置で調整を図るとしても良い。
【００４０】
そして、いわゆる場所がない場合には、一台の装置のみをいわゆるセットして、この一台の装置で、作動および作動解除の繰り返しをして、位置ズレを修正するとしても良い。
【００４１】
前記したところは、この位置ズレ修正装置が上下となる柱体Ｐ１，Ｐ２における水平方向の位置ズレを修正するとしたが、この発明が意図するところからすれば、凡そ相対位置を修正する限りには、前記したように、いわゆる縦方向の位置ズレを修正する場合に利用されるとしても良く、その場合の作用効果も異ならないこともちろんである。
【図面の簡単な説明】
【００４２】
【図１】この発明の一実施形態による芯ズレ修正装置を上方柱体と下方柱体とに連繋した状態で示す正面図である。
【符号の説明】
【００４３】
１  梃体
１ａ  基端部
１ｂ  先端部
１ｃ  中間部
２  伸縮手段
Ｅ１，Ｅ２  ブラケットたるエレクションピース
Ｐ１  固定側体たる下方柱体
Ｐ２  可動側体たる上方柱体
【図１】
2005307538.tif 000003